【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、前記少なくとも１つのタイプの人間は、金融口座、投資口座、又はクレジット・カード紛争に関係していることを特徴とするシステム。
【請求項２】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、前記少なくとも１つのタイプの人間は企業幹部（corporate executives）又は企業運営（corporate operations）に関係することを特徴とするシステム。
【請求項３】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、前記少なくとも１つのタイプの人間は企業金融（corporate financials）に関係することを特徴とするシステム。
【請求項４】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、前記少なくとも１つのタイプの人間は様々な企業運営に関係することを特徴とするシステム。
【請求項５】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、識別される前記タイプの人間は、前記少なくとも１つのサーチ語と関連した情報を共有すべきでない人間であることを特徴とするシステム。
【請求項６】
少なくとも１つのタイプの人間をＰ２Ｐネットワークを介して識別するシステムであって、
（ａ）命令を記憶する記憶媒体と、
（ｂ）プロセッサ・ユニットと、
を備え、前記プロセッサ・ユニットは、記憶された前記命令を実行して、
（ｉ）識別される少なくとも１つのタイプの人間を決定し、
（ｉｉ）前記Ｐ２Ｐネットワークに接続し、
（ｉｉｉ）前記Ｐ２Ｐネットワーク上にＰ２Ｐサーチを発行し、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前もって知られておらず、
（ｉｖ）予め決定されたサーチ語の前記グループを含む前記Ｐ２Ｐネットワーク上の前記Ｐ２Ｐサーチの結果として応答を受け、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含み、
（ｖ）識別される前記少なくとも１つのタイプの人間である関連したユーザを前記応答するコンピュータが有することを示す
ことを特徴とし、識別される前記タイプの人間は、前記少なくとも１つのサーチ語と関連した別の実体と関係した情報を共有した人間であることを特徴とするシステム。
【請求項７】
Ｐ２Ｐネットワーク上でサーチを発行することにより少なくとも１つのタイプの人間を識別する方法であって、前記方法は、該方法が含むステップを実行するために実行される命令を記憶する記憶媒体と、記憶された前記命令を実行するプロセッサ・ユニットとを備えたシステムによって実行され、前記方法は、
前記システムが、識別される少なくとも１つのタイプの人間を決定するステップと、
前記システムを前記Ｐ２Ｐネットワークに接続するステップと、
前記システムから前記Ｐ２Ｐネットワーク上にＰ２Ｐサーチを発行するステップであって、前記Ｐ２Ｐサーチは、前記Ｐ２Ｐネットワークに接続されたコンピュータの間で共有される情報の一部として使用される予め決定されたサーチ語のグループを含み、予め決定されたサーチ語の前記グループは、識別される前記少なくとも１つのタイプの人間からの応答を引き出すことが知られている語のリストから選択され、前記Ｐ２Ｐネットワークにおける前記コンピュータの各々は少なくとも１つのユーザと関連し、前記Ｐ２Ｐネットワークにおける前記コンピュータの前記ユーザが、識別される前記少なくとも１つのタイプの人間を必ず含むことは、前記Ｐ２Ｐサーチの発行の前には知られていない、ステップと、
前記システムが、予め決定されたサーチ語の前記グループを含む前記Ｐ２Ｐネットワーク上の前記Ｐ２Ｐサーチの結果として応答を受けるステップであって、前記応答は前記Ｐ２Ｐネットワークに接続された応答するコンピュータから受け、前記応答するコンピュータからの前記応答はまた、予め決定されたサーチ語の前記グループに関係した情報を含み、前記応答するコンピュータからの前記応答はまた、前記応答するコンピュータと関連したユーザが意識することなく共有された情報を含む、ステップと、
前記システムが、識別される前記少なくとも１つのタイプの人間である関連したユーザを前記応答するコンピュータが有することを示すステップと
を含むことを特徴とする方法。
【請求項８】
請求項７記載の方法であって、識別される前記タイプの人間は、共有されるべきでない情報を共有した人間であることを特徴とする方法。
【請求項９】
請求項７記載の方法であって、識別される前記タイプの人間は、前記少なくとも１つのサーチ語と関連した別の実体と関係した情報を共有した人間であることを特徴とする方法。
【請求項１０】
Ｐ２Ｐネットワークにおいて接続された複数のノードにメッセージを送り、前記Ｐ２Ｐネットワークにおいて接続された前記ノードからメッセージを受けるためのＰ２Ｐネットワーク通信接続と、
前記Ｐ２Ｐネットワーク通信接続に接続された処理装置であって、前記処理装置は、命令を記憶するための命令記憶デバイスと、出力デバイスと、命令実行ユニットとを備え、前記命令実行ユニットは、前記記憶デバイスから命令を読み、該命令を実行して、
（ｉ）識別される少なくとも１つのタイプの人間を決定し、
（ｉｉ）前記Ｐ２Ｐネットワーク上にサーチ・メッセージを発行し、前記サーチ・メッセージは少なくとも１つのサーチ語を含み、前記少なくとも１つのサーチ語は、前記Ｐ２Ｐネットワーク上の所与のＰ２Ｐノードによって共有されるべきでない情報であって、該所与のＰ２Ｐノードと関連したユーザに意識されることなく共有されるべきでない前記情報と関連し、前記少なくとも１つのサーチ語は、識別される前記少なくとも１つのタイプの人間からの応答を引き出すことが知られているサーチ語のリストから選択され、
（ｉｉｉ）発行した前記サーチの結果として特定のＰ２Ｐノードから応答メッセージを受け、
（ｉｖ）前記応答メッセージを発した前記特定のＰ２Ｐノードが、前記所与のＰ２Ｐノードと関連した前記ユーザに意識されることなく共有されるべきでない情報を共有している前記所与のＰ２Ｐノードであること、及び前記Ｐ２Ｐノードが、識別される前記少なくとも１つのタイプの人間である関連したユーザを有することを、前記出力デバイスを使用して示す、前記処理装置と
を備えた、装置。
【請求項１１】
請求項１０記載の装置であって、前記サーチ語は、金融口座、投資口座、又はクレジット・カード紛争に関連することを特徴とする装置。